(57)【要約】【課題】ＦＭ一括変換方式を用いた映像信号に対して、多重される映像信号の変更を行う。【解決手段】多重信号変更装置は、各チャンネルの映像信号であるチャンネル信号が周波数多重された信号を一括してＦＭ変調して得られたＦＭ一括変換信号を、互いに位相が９０度異なる第一信号及び第二信号に分岐する分岐部と、第三信号と第一信号とを混合した混合信号を出力する周波数混合部と、混合信号と第二信号とを合波する合波部とを備える。第三信号は、ＦＭ一括変換信号に多重された一部の消去対象のチャンネル信号と同じ周波数帯域を使用し、かつ、消去対象の当該チャンネル信号と相関を持たない信号と、ＦＭ一括変換信号における空き周波数帯域に追加するチャンネル信号とのいずれかである又は両方を含む信号である。【選択図】図２
2020057945.tif 000002
【特許請求の範囲】
【請求項１】
各チャンネルの映像信号であるチャンネル信号が周波数多重された信号を一括してＦＭ変調して得られたＦＭ一括変換信号を、互いに位相が９０度異なる第一信号及び第二信号に分岐する分岐部と、
前記ＦＭ一括変換信号に多重された一部の消去対象の前記チャンネル信号と同じ周波数帯域を使用し、かつ、消去対象の当該チャンネル信号と相関を持たない信号と、前記ＦＭ一括変換信号における空き周波数帯域に追加するチャンネル信号とのいずれかである又は両方を含む第三信号と、前記第一信号とを混合した混合信号を出力する周波数混合部と、
前記混合信号と前記第二信号とを合波する合波部と、
を備える多重信号変更装置。
【請求項２】
各チャンネルの映像信号であるチャンネル信号が周波数多重された信号を一括してＦＭ変調して得られたＦＭ一括変換信号を、互いに位相が９０度異なる第一信号及び第二信号に分岐する分岐ステップと、
前記ＦＭ一括変換信号に多重された一部の消去対象の前記チャンネル信号と同じ周波数帯域を使用し、かつ、消去対象の当該チャンネル信号と相関を持たない信号と、前記ＦＭ一括変換信号における空き周波数帯域に追加するチャンネル信号とのいずれかである又は両方を含む第三信号と、前記第一信号とを混合した混合信号を生成する混合ステップと、
前記混合信号と前記第二信号とを合波する合波ステップと、
を有する多重信号変更方法。
【発明の詳細な説明】
【技術分野】
【０００１】
本発明は、多重信号変更装置及び多重信号変更方法に関する。
【背景技術】
【０００２】
テレビジョン放送を視聴するには、放送局からの放送波を直接受信する、ケーブルテレビに加入する、等の方法がある。このうち、ケーブルテレビでは、ヘッドエンド局が周波数多重した複数の映像信号を、同軸ケーブルや光ファイバケーブルなどの伝送媒体を介して各家庭で受信する。
【０００３】
図３は、放送システムの構成図である。同図は、光ファイバケーブルを用いたケーブルテレビの一般的な配信構成を示す。送信設備１は、放送設備１０及び光送信器１１を有する。放送設備１０は、９０ＭＨｚ〜７７０ＭＨｚの帯域にあるＶＨＦ／ＵＨＦ帯の映像信号、及び、１ＧＨｚ〜２．１ＧＨｚ帯のＢＳ／ＣＳ１１０°衛星右旋円偏波中間周波数帯映像信号（以下、ＢＳ／ＣＳ右旋ＩＦ信号とよぶ）を光送信器１１に送出する。なお、放送設備１０は、これら以外の信号の映像信号を送出する場合もあるが、本図では割愛する。以下では、各チャンネルの映像信号を、チャンネル信号とも記載する。
【０００４】
ＶＨＦ／ＵＨＦ帯の映像信号としては、具体的には地上波放送の再放送信号の他に、映像コンテンツ制作会社から供給されるチャンネルの映像信号、あるいはケーブルテレビ事業者がサービス提供地域向けに自局で制作するチャンネル（以下、地域制作チャンネルとよぶ）の映像信号がある。
【０００５】
光送信器１１は、これらの映像信号を光信号に変換し、光ファイバケーブルを用いて構成される光ネットワーク３を経由して、各加入者宅２−１〜２−ｎ（ｎは１以上の整数）に設置されている光受信器２０−１〜２０−ｎに分配する。同図では、加入者宅２−１〜２−ｎを総称して加入者宅２と記載している。また、同図では省略しているが、光ネットワーク３は、伝送距離を拡大するため、あるいは複数の加入者に分配するための光増幅器、光分岐器、光伝送路などから構成される。
【０００６】
光信号の伝送方式として、強度変調方式と、ＦＭ一括変換方式（例えば、非特許文献１参照）とがあり、それぞれ実用化されている。強度変調方式では、周波数多重された映像信号を光の強度変調信号に変換して伝送する。ＦＭ一括変換方式では、周波数多重された信号を一括して１つのＦＭ信号に変換し（以下、ＦＭ一括変換信号とよぶ）、ＦＭ一括変換信号を光の強度変調信号に変換する。ＦＭ一括変換方式は、強度変調方式に比べて光送信器および光受信器の構成が複雑になるが、雑音の影響を受けにくく、同等の品質の映像信号でより長距離の伝送が可能である。
【先行技術文献】
【非特許文献】
【０００７】
【非特許文献１】"Transmission equipment for transferring multi-channel television signals over optical access networks by frequency modulation conversion,” Recommendation ITU-T J.185, 2012年
【発明の概要】
【発明が解決しようとする課題】
【０００８】
近年、伝送路の光化あるいはデジタル化技術を背景に、従来は複数の送信設備でカバーしていたエリアに対して、１つの送信設備から光信号を送出することが可能となっている。図４は、ひとつの集約局送信設備４が、複数の地域局設備９−１、９−２、…（総称して、地域局設備９と記載）のエリアをカバーする場合の放送システムの構成例を示す。同図において、図３に示す放送システムと同一の部分には同一の符号を付している。各地域局設備９−１、９−２、…がそれぞれカバーするエリアは、図３における１台の送信設備１がカバーするエリアに対応する。集約局送信設備４の光送信器４１と、地域局設備９−１、９−２とはそれぞれ、光ネットワーク６−１、６−２を経由して接続される。地域局設備９−１には、集約局送信設備４の光送信器４１から送信された光信号を中継伝送する光中継伝送器９０が設置される。他の地域局設備９−２、…においても同様であるが、図中では割愛する。また、地域局設備９−１の光中継伝送器９０と加入者宅２−１〜２−ｎそれぞれに設置される光受信器２０−１〜２０−ｎとは、光ネットワーク３により接続される。
【０００９】
ここで、集約局送信設備４の放送設備１０が出力した映像信号を、地域局設備９を経由して加入者宅２に配信する方式として、例えば、以下の二つがある。一つは、集約局送信設備４から地域局設備９まで映像信号をデジタルベースバンド信号で配信した後に、地域局設備９においてそれらデジタルベースバンド信号を周波数多重された信号に変換して加入者宅２に配信する方式である。もう一つは、集約局送信設備４から加入者宅２まで、各チャンネルの映像信号が周波数多重された信号を配信する方式である。チャンネル毎に使用する周波数が異なる。以降では、これら２つのうちの後者の場合を対象として述べる。
【００１０】
図４の構成を適用する場合、従来、地域局設備９において制作していた地域制作チャンネルの映像信号を、集約局送信設備４から送信される信号に追加する必要がある。この追加の方法としては、図５および図６に示す構成により行われるものが考えられる。
【００１１】
図５は、地域制作チャンネルの映像信号を集約局送信設備において挿入する方式の放送システムの概略構成図である。同図において、図４に示す放送システムと同一の部分には同一の符号を付している。同図に示す放送システムは、図４に示す集約局送信設備４及び放送局設備９−１、９−２、…に代えて、集約局送信設備４ａ及び放送局設備９ａ−１、９ａ−２、…（総称して放送局設備９ａと記載）を備える。放送局設備９ａ−２、…は、放送局設備９ａ−１と同じ構成である。地域局設備９ａ−１の送信器９２は、放送設備９１が出力した地域制作チャンネルの映像信号（地域制作チャンネル信号ソース）を送信する。集約局送信設備４ａの受信器４２は、この映像信号を、ネットワーク７を経由して受信する。ネットワーク７を流れる伝送信号は、光信号あるいは電気信号である。集約局送信設備４ａの放送設備４０は、ＶＨＦ／ＵＨＦ帯の映像信号及びＢＳ／ＣＳ右旋ＩＦ信号に、受信器４２から入力した映像信号を周波数多重したのち、光送信器４１から配信する。
【００１２】
図６は、地域制作チャンネルの映像信号を地域局設備において挿入する方式の放送システムの概略構成図である。同図において、図４に示す放送システムと同一の部分には同一の符号を付している。同図に示す放送システムは、図４に示す放送局設備９−１、９−２、…に代えて、放送局設備９ｂ−１、９ｂ−２、…（総称して放送局設備９ｂと記載）を備える。放送局設備９ｂ−２、…は、放送局設備９ｂ−１と同じ構成である。本方式の場合、地域局設備９ｂ−１は、集約局送信設備４から受信した光信号を光受信器９３で映像信号（電気信号）に戻す。混合器９４は、放送設備９１から出力される映像信号（地域制作チャンネル信号ソース）を、光受信器９３が戻した電気信号の空いている周波数帯域を用いて混合する。光送信器９５は、混合器９４により混合された映像信号を、再び光信号として出力する。光送信器９５から出力された光信号は、さらに光中継伝送器を経由して中継・伝送される場合がある。
【００１３】
図５に示す方式の場合、各地域局設備９ａから集約局送信設備４ａまでの伝送設備を用意する必要があり、図６に示す方式と比較し、設備費用や保守の観点で課題がある。別の課題としては、放送設備４０からの信号に含まれる地上波放送の再放送信号の中に、地域局設備９ａ−１の配信エリアについては再送信合意が得られているが、地域局設備９ａ−２の配信エリアでは再送信同意が得られていないチャンネル信号が含まれている場合、地域局設備９ａ−２において当該チャンネル信号の削除が必要となり、さらなる設備費用の増大が発生することがあげられる。そのため、図６の方式の方が設備費用や保守の観点で優れている。
【００１４】
ここで、伝送方式が強度変調方式の場合は、光受信器９３及び光送信器９５には線形性の高い光電気変換機能、電気光変換機能があればよい。図７は、伝送方式が強度変調方式である場合に図６の光受信器９３及び光送信器９５として用いられる光受信器９３ａ及び光送信器９５ａの構造の概略図である。光信号８１は光受信器９３ａの光電気変換部により電気信号の映像信号８２へと変換される。変換された映像信号８２は電気信号増幅部で増幅され、混合器９４により地域制作チャンネルの映像信号８３と混合されて映像信号８４となる。映像信号８４は、光送信器９５ａの電気光変換部で光信号８５へと変換され、光信号増幅部で増幅されて出力される。
【００１５】
一方、図８は、伝送方式がＦＭ一括変換方式である場合に図６の光受信器９３及び光送信器９５として用いられる光受信器９３ｂ及び光送信器９５ｂの構造の概略図である。光信号８６は、光受信器９３ｂの光電気変換部でＦＭ一括変換信号８７に変換された後、ＦＭ復調部で映像信号８２へと復調される。さらに、映像信号８２は電気信号増幅部で増幅される。図７の場合と同様に混合器９４により映像信号８２と地域制作チャンネルの映像信号８３とが混合された映像信号８４は、光送信器９５ｂのＦＭ変調部でＦＭ一括変換信号８８へと再変調される。ＦＭ一括変換信号８８は、電気光変換部で光信号８９へと変換された後、光信号増幅部で増幅されて出力される。従って、伝送方式がＦＭ一括変換方式の場合は、強度変調方式の場合と比較し、光受信器９３ｂにＦＭ復調機能が必要となり、光送信器９５ｂにＦＭ変調機能が必要となる。特に、ＦＭ変調を行う場合は、非特許文献１に記載のように、中心周波数が３ＧＨｚで、変調信号が２．１ＧＨｚ程度までのＦＭ変調器を用意する必要がある。この方式では、ＦＭ一括変換方式の特長である雑音の影響を受けにくいという利点を享受できる反面、設備コストが高くなるという課題がある。なお図７および図８は基本構成図であり、実際の装置内には本図に含まれない機能を有する場合もあるが、信号処理の流れは変わらないため割愛している。
【００１６】
上記事情に鑑み、本発明は、ＦＭ一括変換方式を用いた映像信号に対して、多重される映像信号の変更を低コストで行うことができる多重信号変更装置及び多重信号変更方法を提供することを目的としている。
【課題を解決するための手段】
【００１７】
本発明の一態様は、各チャンネルの映像信号であるチャンネル信号が周波数多重された信号を一括してＦＭ変調して得られたＦＭ一括変換信号を、互いに位相が９０度異なる第一信号及び第二信号に分岐する分岐部と、前記ＦＭ一括変換信号に多重された一部の消去対象の前記チャンネル信号と同じ周波数帯域を使用し、かつ、消去対象の当該チャンネル信号と相関を持たない信号と、前記ＦＭ一括変換信号における空き周波数帯域に追加するチャンネル信号とのいずれかである又は両方を含む第三信号と、前記第一信号とを混合した混合信号を出力する周波数混合部と、前記混合信号と前記第二信号とを合波する合波部と、を備える多重信号変更装置である。
【００１８】
本発明の一態様は、各チャンネルの映像信号であるチャンネル信号が周波数多重された信号を一括してＦＭ変調して得られたＦＭ一括変換信号を、互いに位相が９０度異なる第一信号及び第二信号に分岐する分岐ステップと、前記ＦＭ一括変換信号に多重された一部の消去対象の前記チャンネル信号と同じ周波数帯域を使用し、かつ、消去対象の当該チャンネル信号と相関を持たない信号と、前記ＦＭ一括変換信号における空き周波数帯域に追加するチャンネル信号とのいずれかである又は両方を含む第三信号と、前記第一信号とを混合した混合信号を生成する混合ステップと、前記混合信号と前記第二信号とを合波する合波ステップと、を有する多重信号変更方法である。
【発明の効果】
【００１９】
本発明により、ＦＭ一括変換方式を用いた映像信号に対して、多重される映像信号の変更を低コストで行うことが可能となる。
【図面の簡単な説明】
【００２０】
【図１】本発明の一実施形態による放送システムの概略構成図である。
【図２】同実施形態による多重信号変更装置のブロック図である。
【図３】従来技術の放送システムの概略構成図である。
【図４】従来技術の放送システムの概略構成図である。
【図５】従来技術の地域制作チャンネルを集約局送信設備において挿入する方式の放送システムの概略構成図である。
【図６】従来技術の地域制作チャンネルを地域局設備において挿入する方式の放送システムの概略構成図である。
【図７】従来技術の強度変調方式を用いる場合の光受信器及び光送信器の内部構成の概要図である。
【図８】従来技術のＦＭ一括変換方式を用いる場合の光受信器及び光送信器の内部構成の概要図である。
【発明を実施するための形態】
【００２１】
以下、図面を参照しながら本発明の実施形態を詳細に説明する。
【００２２】
（第１の実施形態）
図１は、本発明の一実施形態による放送システム１００の概略構成図である。同図において、図６に示す放送システムと同一の部分には同一の符号を付し、その説明を省略する。同図では、集約局送信設備４から加入者宅２までのシステムについて示している。同図に示す放送システム１００が図６に示す放送システムと異なる点は、地域局設備９ｂ−１、９ｂ−２、…に代えて、地域局設備５−１、５−２、…（総称して、地域局設備５と記載）を備える点である。地域局設備５−２、…は、地域局設備５−１と同様の構成である。
【００２３】
地域局設備５−１は、光中継伝送器５０、放送設備５１及び多重信号変更装置５２を備える。光中継伝送器５０には、図４及び図５に示す光中継伝送器９０と同じものを用いることができ、放送設備５１には、図５及び図６に示す放送設備９１と同じものを用いることができる。よって、本実施形態は、図６に示す放送システムにおける地域局設備９ｂ−１の光受信器９３、混合器９４及び光送信器９５に代えて、多重信号変更装置５２及び光中継伝送器５０を備えた構成とすることができる。
【００２４】
本実施形態において多重信号変更装置５２は、チャンネル挿入装置として動作する。すなわち、多重信号変更装置５２は、集約局送信設備４の光送信器４１から送信された光信号と、放送設備５１が出力した地域制作チャンネルの映像信号（地域制作チャンネル信号ソース）８３の両方を入力し、これらを合成して光信号として光中継伝送器５０に出力する。光中継伝送器５０から出力された光信号は、さらに他の光中継伝送器を経由して、加入者宅２へ中継・伝送される場合がある。
【００２５】
図２は、多重信号変更装置５２の内部構成の概略図である。多重信号変更装置５２は、光電気変換部５２１、９０°ハイブリッド部５２２、レベル調整部５２３、周波数混合部５２４、合成部５２５及び電気光変換部５２６を備える。光入力信号は、例えば、集約局送信設備４の光送信器４１から受信した光信号である。光入力信号は、非特許文献１に記載のように、ＦＭ一括変換方式によるＦＭ信号によって強度変調された光信号である。
【００２６】
光電気変換部５２１は、光入力信号を電気信号に変換する。９０°ハイブリッド部５２２は、変換された電気信号を２つの信号に分岐する。９０°ハイブリッド部５２２は、２つの出力の位相が互いに９０°異なるように分岐するものであるため、２分岐器と、その２分岐器が２つに分岐した出力の一方に挿入された９０°移相器とにより代用することも可能である。
【００２７】
レベル調整部５２３は、９０°ハイブリッド部５２２により２分岐された電気信号の一方を、必要に応じて適切なレベルに調整する。周波数混合部５２４は、レベル調整部５２３によりレベルが調整された電気信号と、外部からの電気信号である外部信号との混合波を生成する。周波数混合部５２４へ入力される外部信号は、この多重信号変更装置５２を備える地域局設備５−ｉ（ｉは１以上の整数）において追加挿入したいチャンネル信号、すなわち、映像信号（地域制作チャンネル信号ソース）８３である。チャンネル信号を挿入するチャンネルは、１チャンネルとは限らない。つまり、光入力信号に空き帯域があり、また加入者宅２において受信する信号品質に影響ない範囲であれば、外部信号は、複数チャンネルのチャンネル信号を周波数多重した信号であってもよい。合成部５２５は、周波数混合部５２４からの出力と、９０°ハイブリッド部５２２からの他方の出力とを周波数多重する。電気光変換部５２６は、合成部５２５が周波数多重した電気信号を光信号に変換した後、光出力信号として送出する。
【００２８】
なお、加入者宅２で受信する信号品質に影響ない範囲であれば、本実施形態の多重信号変更装置５２を多段に接続することができる。
【００２９】
多重信号変更装置５２における９０°ハイブリッド部５２２から合成部５２５までの構成は、ＦＭ変調器の１つであるアームストロングＦＭ変調器と同等の構成である。アームストロングＦＭ変調器については、例えば、文献「伊東  祐弥，藤井  章，“わかりやすいＦＭ技術”，廣済堂産報出版」に記載されている。
【００３０】
アームストロング変調器は、入力信号として搬送波、周波数混合部５２４への入力信号として変調信号の積分器通過後の信号を印加する。具体的には、搬送波の角周波数をωｃ、変調信号の角周波数をωｓとしたときに、搬送波ｆｃ（ｔ）は式（１）により、変調信号ｆｓ（ｔ）は式（２）により表される。
【００３１】
【数１】
2020057945.tif 000003
【００３２】
【数２】
2020057945.tif 000004
【００３３】
ただし、Ａｃは搬送波の振幅であり、ｔは時間である。このとき、出力信号ｆｆｍ（ｔ）は、以下の式（３）となる。
【００３４】
【数３】
2020057945.tif 000005
【００３５】
ただし、ｍｆはＦＭ変調度を表す。上記の式（３）は、以下のＦＭ変調信号の式（４）に近似できる。
【００３６】
【数４】
2020057945.tif 000006
【００３７】
そのため、アームストロング変調器をＦＭ変調器として使用することができる。
【００３８】
本実施形態では、搬送波として式（１）の代わりにＦＭ一括変換された信号を入力信号とし、式（２）の変調信号として挿入するチャンネル信号を用い、積分器を介さずに直接周波数混合部５２４に入力している。積分器を介さなくてもよいのは、挿入する１つのチャンネル信号の帯域の最低周波数と最高周波数の比が１に近似できる場合は、積分器を介さなくても受信される信号品質への影響がほとんどないことを利用したものである。
【００３９】
搬送波に代えてＦＭ一括変換信号を用いることにより、不要なひずみ成分が発生し、品質が劣化する虞がある。しかし、実際のシステムでは、品質劣化により伝送路にて誤りが発生したとしても、チャンネル信号に標準方式として使用されている誤り訂正符号（リードソロモン符号）で訂正可能な範囲であれば問題とはならない。
【００４０】
アームストロングＦＭ変調器の技術を光信号の伝送路に対して用いることで、従来は行っていなかった、ＦＭ一括変換信号を復調せずに別のＦＭ信号を追加することが可能となる。
【００４１】
（第２の実施形態）
第１の実施形態では、地域局設備において、集約局送信設備から受信した映像信号にチャンネル信号を追加していたが、本実施形態では、受信した映像信号に多重されている一部のチャンネル信号を視聴できないようにする。本実施形態では、第１の実施形態との差分を中心に説明する。本実施形態の放送システムの構成及び多重信号変更装置の構成は、第１の実施形態と同じである。本実施形態では、多重信号変更装置５２は、ＦＭ一括変換信号に多重されている各チャンネルの映像信号のうち、一部のチャンネルの映像信号に雑音を与えて視聴できないようにするチャンネル消去装置として動作する。
【００４２】
本実施形態では、図２に示す多重信号変更装置５２の周波数混合部５２４への外部信号としてチャンネル消去用信号を入力する。チャンネル消去用信号は、ＦＭ一括変換信号として集約局送信設備４から送信された複数のチャンネル信号のうち一部の消去対象のチャンネル信号（以下、消去対象チャンネル信号）と同じ６ＭＨｚ帯域幅に収まり、かつ、消去対象チャンネル信号とは相関を持たない信号である。相関を持たない信号とは、例えば、ランダムパターンで変調されたＯＦＤＭ（Orthogonal Frequency Division Multiplexing：直交周波数分割多重）信号又は多値ＱＡＭ（Quadrature Amplitude Modulation）信号、あるいは、雑音信号である。つまり、本実施形態の外部信号は、消去対象チャンネル信号への雑音として作用する。この外部信号の信号レベルを、消去対象チャンネル信号の所要Ｓ／Ｎ（Signal to Noise）比を満足しないレベルに設定することで、消去対象チャンネル信号の復調が不可能な状態とし、消去を実現する。多重信号変更装置５２は、こうような外部信号を、９０°ハイブリッド部５２２により２分岐された信号の一方に混合することにより、例えば、図１に示す集約局送信設備４から配信され、地域局設備５−２には配信するが、地域局設備５−１には配信できない映像信号のみを消去することができる。
【００４３】
なお、消去対象チャンネル信号は１つとは限らず、地域局設備５から配信する信号に影響がない範囲であれば、複数のチャンネル信号を消去することができる。また、加入者宅２で受信する信号品質に影響ない範囲であれば、本実施形態の多重信号変更装置５２を多段に接続することができる。
【００４４】
（第３の実施形態）
第１の実施形態では、地域局設備が受信した映像信号にチャンネル信号を追加し、第２の実施形態では、地域局設備が受信した映像信号に多重されている一部のチャンネル信号を消去していたが、本実施形態では、その両方を行う。本実施形態では、第１の実施形態との差分を中心に説明する。本実施形態の放送システムの構成及び多重信号変更装置の構成は、第１の実施形態と同じである。
【００４５】
図２に示す多重信号変更装置５２の周波数混合部５２４へ挿入する外部信号を複数のチャンネルの信号とする場合、その信号の一部を、新たに挿入する１以上のチャンネル信号とし、他の一部の信号を、消去するチャンネル信号とは相関を持たない信号である１以上のチャンネル消去用信号とし、組み合わせて用いることもできる。こうすることで、一台の多重信号変更装置５２により、映像信号へのチャンネル信号の挿入とチャンネル信号の消去とを同時に行うことができる。
【００４６】
また、加入者宅２で受信する信号品質に影響ない範囲であれば、本実施形態の多重信号変更装置５２を多段に接続することができる。
【００４７】
以上説明した実施形態によれば、多重信号変更装置は、分岐部と、周波数混合部と、合波部と、を備える。分岐部は、例えば、９０°ハイブリッド部５２２である。分岐部は、各チャンネルの映像信号であるチャンネル信号が周波数多重された信号を一括してＦＭ変調して得られたＦＭ一括変換信号を、互いに位相が９０度異なる第一信号及び第二信号に分岐する。第一信号は、周波数混合部に出力され、第二信号は、合成部に出力される。周波数混合部は、第一信号と第三信号とを混合した混合信号を出力する。第三信号は、例えば、周波数混合部５２４に入力される外部信号である。第三信号は、チャンネル追加を行う場合は、ＦＭ一括変換信号における空き周波数帯域に追加する一以上のチャンネル信号であり、ＦＭ一括変換信号に多重された一部のチャンネル信号を消去する場合は、消去対象のチャンネル信号と同じ周波数帯域を使用し、かつ、当該消去対象のチャンネル信号と相関を持たない信号である。第三信号は、それら両方の信号を含んでもよい。合波部は、混合信号と、第二信号とを合波する。
【００４８】
以上説明した実施形態によれば、集約局送信設備からＦＭ一括変換方式で映像を配信し、途中にある地域局設備においてＦＭ復調及びＦＭ再変調を行うことなく、地域制作チャンネルの映像信号の挿入、あるいは地域局の配信エリアに対して再送信同意されていないチャンネルの映像信号の視聴制限を可能とする。よって、各地域局設備から集約局送信設備に地域制作チャンネルの映像信号を送信するための伝送設備を用意する必要がなく、各地域局設備にＦＭ復調器及びＦＭ変調器を用意する必要もない。よって、ＦＭ一括変換方式を用いた放送システムの設備コストを軽減するができる。
【００４９】
以上、この発明の実施形態について図面を参照して詳述してきたが、具体的な構成はこの実施形態に限られるものではなく、この発明の要旨を逸脱しない範囲の設計等も含まれる。
【符号の説明】
【００５０】
１…送信設備，  ２、２−１〜２−ｎ…加入者宅，  ３、６−１、６−２…光ネットワーク，  ４、４ａ…集約局送信設備，  ５、５−１、５−２、９、９−１、９−２、９ａ、９ａ−１、９ａ−２、９ｂ、９ｂ−１、９ｂ−２…地域局設備，  ７…ネットワーク，  １０、５１、９１…放送設備，  １１、４１…光送信器，  ２０−１〜２０−ｎ…光受信器，  ４２…受信器，  ５０、９０…光中継伝送器，  ５２…多重信号変更装置，  ９２…送信器，  ９３、９３ａ、９３ｂ…光受信器，  ９４…混合器，  ９５、９５ａ、９５ｂ…光送信器，  １００…放送システム，  ５２１…光電気変換部，  ５２２…９０°ハイブリッド部，  ５２３…レベル調整部，  ５２４…周波数混合部，  ５２５…合成部，  ５２６…電気光変換部
【図１】
2020057945.tif 000007
【図２】
2020057945.tif 000008
【図３】
2020057945.tif 000009
【図４】
2020057945.tif 000010
【図５】
2020057945.tif 000011
【図６】
2020057945.tif 000012
【図７】
2020057945.tif 000013
【図８】
2020057945.tif 000014